(57)【要約】      （修正有）【課題】路上の糞対策を講じることができる牛舎（畜舎）を提供する。【解決手段】幅員Ｗ１で延び作業車１１が走行する車路１２と、幅員Ｗ２で延び家畜が歩行する家畜路１３とを舎内に有する畜舎１０において、車路１２と家畜路１３が、交差しており、この交差点２１に、家畜が歩行するときには跳ね上げ、作業車１１が走行するときには降ろす跳ね橋３０が、備えられている。家畜路１３上に糞があっても、その上を跳ね橋３０が覆う。この跳ね橋３０上を作業車１１が走行するため、作業車１１の車輪１１ａに糞が付く心配はない。【選択図】図１
0003193065.tif 000002
【実用新案登録請求の範囲】
【請求項１】
一定の幅員で延び作業車が走行する車路と、所定の幅員で延び家畜が歩行する家畜路とを舎内に有する畜舎において、
前記車路と前記家畜路が、舎内で交差しており、
この交差点に、前記家畜が歩行するときには跳ね上げ、前記作業車が走行するときには降ろす跳ね橋が、備えられていることを特徴とする畜舎。
【請求項２】
前記跳ね橋は、一端がヒンジで床に連結されているブリッジ本体と、建屋の梁に取付けられ前記ブリッジ本体の他端を引き上げる引き上げ機構とからなり、
前記ブリッジ本体は、前記作業車の車輪が接する路面板と、この路面板を受ける補強フレームと、この補強フレームより下へ突出して前記家畜路に当たる複数個の脚とからなることを特徴とする請求項１記載の畜舎。
【請求項３】
前記路面板の上面から前記脚の下面までの長さが、１００ｍｍ〜２００ｍｍであることを特徴とする請求項２記載の畜舎。
【請求項４】
前記引き上げ機構は、チェーンと、このチェーンを掛けるチェーンシーブと、このチェーンシーブを回転させる電動モータと、前記チェーンシーブを制動するブレーキとを備える電動チェーンブロックであることを特徴とする請求項２又は請求項３記載の畜舎。
【請求項５】
前記ブリッジ本体は、２枚で１基の跳ね橋を構成し、縦寸法が前記車路の幅員に相当し、横寸法が前記家畜路の幅員の半分に相当する矩形体であることを特徴とする請求項２〜４のいずれか１項記載の畜舎。
【請求項６】
複数個の前記電動チェーンブロックは、１個のスイッチボックスで、一括して制御されることを特徴とする請求項４記載の畜舎。
【請求項７】
前記ブリッジ本体は、前記家畜路を遮る柵を備えていることを特徴とする請求項２〜６のいずれか１項記載の畜舎。
【請求項８】
前記作業車は、飼料を運ぶミキサー車であり、前記家畜は乳牛であることを特徴とする請求項１〜７のいずれか１項記載の畜舎。
【考案の詳細な説明】
【技術分野】
【０００１】
本考案は、乳牛飼育に好適な畜舎に関する。
【背景技術】
【０００２】
畜舎の一種である牛舎の構造は種々であるが、多数の乳牛を飼育する飼育舎に、乳牛から搾乳する搾乳舎を併設する構造が知られている（例えば、特許文献１（図１）参照。）。
【０００３】
特許文献１を次図に基づいて説明する。
図７は従来の牛舎の平面図であり、中央に作業用通路１０１が設けられ、この作業用通路１０１の両側に飼育スペース１０２、１０３が設けられている。乳牛は、毎日朝夕の２回搾乳される。
そのときには、乳牛は連絡通路１０４を通って、隣の搾乳舎１０５へ導かれる。搾乳中に、飼育スペース１０２、１０３を掃除することができる。
【０００４】
中央の作業用通路１０１は、行き止まりであるため、後述するミキサー車での給餌は困難である。そこで、猫車と呼ばれる一輪車や、軽量の台車を用いて作業者の手で給餌を行うことになる。しかし、作業者の負担を軽減することが求められる。
そこで、作業者の負担が軽減できることから、給餌作業の機械が進められてきた（例えば、特許文献２（図１）参照。）。
【０００５】
特許文献２を次図に基づいて説明する。
図８は従来の別の牛舎の平面図であり、中央に作業用通路１１１が設けられ、この作業用通路１１１の両側に飼料桶１１２、１１２が配置され、作業用通路１１１を走行する飼料混合車（ミキサー車）１１３で飼料が飼料桶１１２、１１２に供給される。ミキサー車１１３は、トラクタ１１４で牽引するため、後進は困難である。そこで、ミキサー車１１３は、第１の扉１１６を開けて牛舎内へ進入し、給餌後は、他方の第２の扉１１７を開けて外へ出る。
【０００６】
特許文献１の牛舎に、特許文献２のミキサー車１１３を導入してなる牛舎の形態を検討する。
図９は従来の更なる別の牛舎の平面図であり、この牛舎１２０では、ミキサー車１２１が走行する車路１２２は、第１の扉１２３から第２の扉１２４まで延びている。乳牛は連絡通路１２５を通って搾乳舎１２６へ移動するため、家畜路１２７は、不可避的に車路１２２と交差する。
【０００７】
乳牛は飼育エリア１２８はもとより、交差点１２９を含む家畜路１２７上にも排泄物（糞尿。以下、単に「糞」と記する。）を落とす。糞をミキサー車１２１の車輪１３１が踏むと、糞が車輪１３１に付着する。衛生管理の観点から、車輪１３１を頻繁に掃除する必要がある。対策として、ミキサー車１２１が通るときに交差点１２９に、ぬかを蒔くことや、絨毯（じゅうたん）を被せることが行われている。しかし、ぬかや絨毯では手間が掛かり、作業者の負担が増す。
【０００８】
よって、交差点における好ましい糞対策が切望されている。
【先行技術文献】
【特許文献】
【０００９】
【特許文献１】実用新案登録第３１２７４２３号公報
【特許文献２】特表２００１−５０１８３６公報
【考案の概要】
【考案が解決しようとする課題】
【００１０】
本考案は、作業者の負担を増すことなく、路上の糞に対する対策を講じることができる牛舎（畜舎）を提供することを課題とする。
【課題を解決するための手段】
【００１１】
請求項１に係る考案は、一定の幅員で延び作業車が走行する車路と、所定の幅員で延び家畜が歩行する家畜路とを舎内に有する畜舎において、
前記車路と前記家畜路が、舎内で交差しており、この交差点に、前記家畜が歩行するときには跳ね上げ、前記作業車が走行するときには降ろす跳ね橋が、備えられていることを特徴とする。
【００１２】
請求項２に係る考案では、跳ね橋は、一端がヒンジで床に連結されているブリッジ本体と、建屋の梁に取付けられブリッジ本体の他端を引き上げる引き上げ機構とからなり、ブリッジ本体は、作業車の車輪が接する路面板と、この路面板を受ける補強フレームと、この補強フレームより下へ突出して家畜路に当たる複数個の脚とからなることを特徴とする。
【００１３】
請求項３に係る考案では、路面板の上面から脚の下面までの長さが、１００ｍｍ〜２００ｍｍであることを特徴とする。
【００１４】
請求項４に係る考案では、引き上げ機構は、チェーンと、このチェーンを掛けるチェーンシーブと、このチェーンシーブを回転させる電動モータと、チェーンシーブを制動するブレーキとを備える電動チェーンブロックであることを特徴とする。
【００１５】
請求項５に係る考案では、ブリッジ本体は、２枚で１基の跳ね橋を構成し、縦寸法が車路の幅員に相当し、横寸法が家畜路の幅員の半分に相当する矩形体であることを特徴とする。
【００１６】
請求項６に係る考案では、複数個の電動チェーンブロックは、１個のスイッチボックスで、一括して制御されることを特徴とする。
【００１７】
請求項７に係る考案では、ブリッジ本体は、家畜路を遮る柵を備えていることを特徴とする。
【００１８】
請求項８に係る考案では、作業車は、飼料を運ぶミキサー車であり、家畜は乳牛であることを特徴とする。
【考案の効果】
【００１９】
請求項１に係る考案では、車路と家畜路とを有する畜舎において、車路と家畜路の交差点に、家畜が歩行するときには跳ね上げ、作業車が走行するときには降ろす跳ね橋が、備えられている。家畜路上に糞があっても、その上を跳ね橋が覆う。この跳ね橋上を作業車が走行するため、作業車の車輪に糞が付く心配はない。
【００２０】
作業者は跳ね橋を上げ下げする作業は行うものの、従来実施していた絨毯を敷いたり、外したりする作業を行う必要がない。よって、本考案によれば、作業者の負担を増すことなく、糞対策を講じることができる畜舎が提供される。
【００２１】
請求項２に係る考案では、跳ね橋は、ブリッジ本体と引き上げ機構とからなり、ブリッジ本体は、路面板と補強フレームと補強フレームより下へ突出して家畜路に当たる複数個の脚とからなる。脚に糞が付くものの、補強フレームや路面板には糞が付かない。すなわち、脚を掃除するだけで済み、掃除が楽である。
【００２２】
請求項３に係る考案では、路面板の上面から脚の下面までの長さが、１００ｍｍ〜２００ｍｍである。交差点において、家畜路が低く、車路が高くなるが、この高低差は１００ｍｍ〜２００ｍｍである。高低差が比較的小さいため、車路にモルタルを盛るなどすれば、既存の畜舎を容易に改造することができる。
【００２３】
請求項４に係る考案では、引き上げ機構は、電動チェーンブロックである。電動チェーンブロックは汎用品であり、安価で容易に入手できる。引き上げ機構が故障や破損した場合に、新品と交換すればよく、畜舎の維持管理が容易となる。
【００２４】
請求項５に係る考案では、ブリッジ本体は、２枚で１基の跳ね橋を構成し、縦寸法が車路の幅員に相当し、横寸法が家畜路の幅員の半分に相当する矩形体である。すなわち、跳ね橋は両開き橋である。ブリッジ本体が半分の大きさになるため、引き上げ機構の巻き量が半減し、引き上げ、引き下げに要する作業時間が短くなる。
【００２５】
請求項６に係る考案では、複数個の電動チェーンブロックを１個のスイッチボックスで、一括して制御することで、作業者の負担が軽減される。
【００２６】
請求項７に係る考案では、ブリッジ本体は、家畜路を遮る柵を備えている。家畜が誤って跳ね橋の路面板に乗る心配がない。
【００２７】
請求項８に係る考案では、作業車は、飼料を運ぶミキサー車であり、家畜は乳牛である。本考案の畜舎は、馬、綿羊、その他の動物の飼育に供することができるが、牛舎に好適である。すなわち、ミキサー車の車輪に糞が付くと、この糞の粉末が搾乳舎に紛れることが心配されるが、本考案によれば、ミキサー車の車輪に糞が付かないため、糞の粉末が搾乳舎に紛れることはない。よって、本考案の畜舎は、牛舎に最適である。
【図面の簡単な説明】
【００２８】
【図１】本考案に係る牛舎の平面図である。
【図２】図１の２−２矢視図である。
【図３】引き上げ手段としての電動チェーンブロックの構成図である。
【図４】跳ね橋の作用図である。
【図５】本考案の変更例を示す図である。
【図６】図５の６−６矢視図である。
【図７】従来の牛舎の平面図である。
【図８】従来の別の牛舎の平面図である。
【図９】従来の更なる別の牛舎の平面図である。
【考案を実施するための形態】
【００２９】
本考案の実施の形態を添付図に基づいて以下に説明する。なお、図面は符号の向きに見るものとする。
【実施例】
【００３０】
本考案に係る畜舎で飼育する家畜は、牛、馬、綿羊、羊、その他の動物であれば、種類は問わないが、以下の実施例では「乳牛」を例に説明する。畜舎は「牛舎」を例に説明する。
【００３１】
図１に示すように、牛舎１０は、一定の幅員Ｗ１で延び作業車としてのミキサー車１１が走行する車路１２と、所定の幅員Ｗ２で延び乳牛（図４、符号５０）が歩行する家畜路１３とを舎内に有する畜舎であり、例えば、車路１２の両側に、第１〜第４飼育エリア１４〜１７を備え、家畜路１３の一端は連絡通路１８を介して搾乳舎１９に繋がっている。
車路１２と家畜路１３は、舎内で交差しており、この交差点２１に、乳牛が歩行するときには跳ね上げ、作業車（ミキサー車１１）が走行するときには降ろす跳ね橋３０が、備えられている。
【００３２】
図２に示すように、跳ね橋３０は、２枚のブリッジ本体３１、３１と、これらのブリッジ本体３１、３１を引き上げる引き上げ機構４０、４０とからなる。
ブリッジ本体３１は、ミキサー車１１の車輪１１ａが接する路面板３２と、この路面板３２を受ける補強フレーム３３と、この補強フレーム３３より下へ突出して家畜路１３に当たる複数個の脚３４とからなる。路面板３２の上面から脚３４の下面までの長さＬは、１００ｍｍ〜２００ｍｍである。好ましくは、路面板３２に、０．６ｍ×１．９ｍ程度の大きさのスルー開口部（図１、符号３６）を設ける。
【００３３】
ブリッジ本体３１は、ヒンジ３５で床に止められ、中央寄りの一端にチューン４１が連結されている。引き上げ機構４０は、建屋の梁４２に取付けられている。ブリッジ本体の他端を引き上げる引き上げ機構４０が、この例では、図面左右及び図面表裏に各々配置された、合計４個からなる。これらの複数個の引き上げ機構４０は、１個のスイッチボックス４３で一元的に操作（制御）される。
【００３４】
図３に示すように、引き上げ機構４０は、チューン４１と、このチューン４１を掛けるチェーンシーブ４４と、このチェーンシーブ４４を回転させる電動モータ４５と、チェーンシーブ４４を制動する電磁ブレーキ４６及び機械式ブレーキ４７と、制御部４８を備える電動チェーンブロックが好適である。
電動チェーンブロックは汎用品であり、安価で容易に入手できる。故障や破損した場合に、新品と交換すればよく、容易に復旧ができる。
【００３５】
図２の形態で、ミキサー車１１は、路面板３２、３２上を、図面左から右へ走行する。脚３４だけが家畜路１３に当たっている。車重は、複数個の脚３４で支持される。
乳牛が飼育エリアから搾乳舎へ移動する、又は、搾乳舎から飼育エリアへ戻る形態を次に説明する。
【００３６】
図４に示すように、引き上げ機構４０、４０で、ブリッジ本体３１、３１を立てる。すると、家畜路１３が現れる（露出する）。乳牛５０は、家畜路１３を歩行する。ブリッジ本体３１、３１が障壁となっているため、乳牛５０が、車路１２へ進入する心配はない。
【００３７】
家畜路１３に糞が落とされる。この糞は脚３４に付くことはあっても、補強フレーム３３や路面板３２には付かない。
なお、必要であれば、作業員は、車路１２からスルー開口部（図１、符号３６）を通って家畜路１３へ出入りすることができる。
【００３８】
次に、牛舎の変更例を説明する。
図５に示すように、路面板３２の脇に、柵５２、５２を設ける。その他は、図１と同じであるため、符号を流用し、説明は省略する。
図６に示すように、柵５２は路面板３２と共に移動するため、柵５２があっても跳ね上げ作業には支障がない。
図５において、柵５２があるため、乳牛が家畜路１３から路面板３２に上がる心配はない。
【００３９】
また、図６において、ブリッジ本体３１の高さ寸法（長さＬ）は１００ｍｍ〜２００ｍｍである。この長さＬはそれほど大きくない。
車路１２と家畜路１３が同じレベルである既存の牛舎の場合、図５にて、車路１２にモルタルで長さ（厚さ）Ｌだけ嵩上げするだけで、本考案の牛舎に改造するが可能となる。
よって、本考案は、新設の牛舎の他、既設の牛舎にも適用できる。
【００４０】
既に述べたように、本考案は、牛舎の他、馬、綿羊、羊、その他の動物を飼育する畜舎に適用できる。ただし、ミキサー車の車輪に糞が付くと、この糞の粉末が搾乳舎に紛れることが心配されるが、本考案によれば、ミキサー車の車輪に糞が付かないため、糞の粉末が搾乳舎に紛れることはない。
【００４１】
また、作業車は、ミキサー車の他、運搬車（クローラ車を含む。）、耕耘機、トラックであってもよく、種類は問わない。
また、引き上げ機構は、電動チェーンブロックの他、手動チェーンブロック、チューンをワイヤに代えた電動ウインチであってもよく、種類は任意である。
【産業上の利用可能性】
【００４２】
本考案は、牛舎に好適である。
【符号の説明】
【００４３】
１０…畜舎（牛舎）、１１…作業車（ミキサー車）、１１ａ…車輪、１２…車路、１３…家畜路、２１…交差点、３０…跳ね橋、３１…ブリッジ本体、３２…路面板、３３…補強フレーム、３４…脚、３５…ヒンジ、３６…スルー開口部、４０…引き上げ機構（電動チェーンブロック）、４１…チェーン、４３…スイッチボックス、４４…チェーンシーブ、４５…電動モータ、４６…電磁ブレーキ、４７…機械式ブレーキ、５０…乳牛、５２…柵、Ｌ…路面板の上面から脚の下面までの長さ（ブリッジ本体の厚さ）、Ｗ１…車路の幅員、Ｗ２…家畜路の幅員。
【図１】
0003193065.tif 000003
【図２】
0003193065.tif 000004
【図３】
0003193065.tif 000005
【図４】
0003193065.tif 000006
【図５】
0003193065.tif 000007
【図６】
0003193065.tif 000008
【図７】
0003193065.tif 000009
【図８】
0003193065.tif 000010
【図９】
0003193065.tif 000011